(57)【要約】【課題】環境光検出専用の受光素子を設けなくても、環境光の強度を検出することのできる光学式位置検出装置、位置検出機能付き表示装置、および電子機器を提供すること。【解決手段】光学式位置検出装置１０および位置検出機能付き表示装置１００は、位置検出光Ｌ２ａ〜Ｌ２ｄを放出する位置検出用光源１２Ａ〜１２Ｄと、検出領域１０Ｒに受光部１５ａを向けた光検出器１５とを備えている。かかる装置において、信号処理部は、光検出器１５での検出信号に基づいて、検出領域１０Ｒ内における対象物体の位置を検出するための位置検出用信号を生成するとともに、環境光の強度に対応する環境光強度判定用信号を生成する。【選択図】図２
2010204994.tif 000002
【特許請求の範囲】
【請求項１】
検出領域内において対象物体の位置を光学的に検出するための光学式位置検出装置であって、
位置検出光を放出する位置検出用光源と、
該位置検出用光源を駆動する位置検出用光源駆動回路と、
前記検出領域に受光部を向けた光検出器と、
該光検出器での検出信号に基づいて、前記検出領域内における対象物体の位置を検出するための位置検出用信号を生成するとともに、前記検出領域における環境光の強度に対応する環境光強度判定用信号を生成する信号処理部と、
を有することを特徴とする光学式位置検出装置。
【請求項２】
前記位置検出用光源から出射された前記位置検出光を内部に採り込む光入射面、および該光入射面から入射した前記位置検出光を出射する光出射面を備えた導光板を備え、
前記光検出器は、前記導光板に対して前記位置検出光の出射側で前記検出領域に前記受光部を向けていることを特徴とする請求項１に記載の光学式位置検出装置。
【請求項３】
前記光検出器は、赤外域および可視域に跨る波長域の光を光電変換することを特徴とする請求項１または２に記載の光学式位置検出装置。
【請求項４】
前記信号処理部は、前記光検出器での検出結果から前記位置検出用信号を抽出する位置検出用信号抽出部を備え、
前記信号処理部は、前記位置検出用信号抽出部によって前記位置検出用信号を抽出する前の前記光検出器の検出信号を前記環境光強度判定用信号とすることを特徴とする請求項１乃至３の何れか一項に記載の光学式位置検出装置。
【請求項５】
前記位置検出用光源として、前記第１位置検出光を出射する第１位置検出用光源と、前記第２位置検出光を出射する第２位置検出用光源と、を備えていることを特徴とする請求項１乃至４の何れか一項に記載の光学式位置検出装置。
【請求項６】
前記位置検出用光源駆動回路は、前記第１位置検出用光源と前記第２位置検出用光源とを逆相に駆動し、
前記信号処理部は、前記第１位置検出光に対する前記光検出器での受光強度と前記第２位置検出光に対する前記光検出器での受光強度が同一となるように前記第１位置検出用光源および前記第２位置検出用光源のうちの一方の発光強度を調整するための発光輝度補償指令部を備えていることを特徴とする請求項５に記載の光学式位置検出装置。
【請求項７】
前記第１位置検出用光源および前記第２位置検出用光源からなる光源対を２組備え、
当該２組の光源対は、出射光軸が交差する方向に向いていることを特徴とする請求項５または６に記載の光学式位置検出装置。
【請求項８】
請求項１乃至７の何れか一項に記載の光学式位置検出装置を備えた位置検出機能付き表示装置であって、
前記位置検出領域と画像表示領域とが重なるように前記導光板に対して対向配置された電気光学パネルを備えた画像生成装置を有していることを特徴とする位置検出機能付き表示装置。
【請求項９】
前記環境光強度判定用信号に基づいて、環境光の強度に連動して前記画像生成装置での表示条件を変更させる表示条件補正指令部を備えていることを特徴とする請求項７に記載の位置検出機能付き表示装置。
【請求項１０】
請求項８または９に記載の位置検出機能付き表示装置を備えていることを特徴とする電子機器。
【発明の詳細な説明】
【技術分野】
【０００１】
本発明は、光学式位置検出装置、該光学式位置検出装置を備えた位置検出機能付き表示装置、および当該位置検出機能付き表示装置を備えた電子機器に関するものである。
【背景技術】
【０００２】
携帯電話、カーナビゲーション、パーソナルコンピューター、券売機、銀行の端末などの電子機器では、近年、液晶装置などの画像生成装置の前面にタッチパネルが配置され、画像生成装置に表示された画像を参照しながら、情報の入力が行えるものがある。このようなタッチパネルは、検出領域内において対象物体の位置を検出するための位置検出装置として構成される。
【０００３】
かかる画像生成装置においては、太陽光や蛍光灯の光などといった環境光の強度が強い明るい環境下では輝度の高い画像を生成する必要がある、環境光の強度が弱い暗い環境下では、輝度の高い画像を生成しなくても画像を十分視認できる。そこで、電気光学パネルに受光素子を設けて環境光の強度を検出し、かかる検出結果に基づいて、画像の輝度を調整する技術が提案されている（特許文献１，２参照）
【先行技術文献】
【特許文献】
【０００４】
【特許文献１】特開２００３−７８８３８号公報
【特許文献２】特開２００６−１１８９６５号公報
【発明の概要】
【発明が解決しようとする課題】
【０００５】
しかしながら、特許文献１、２に記載の構成では、環境光検出専用の受光素子を設けているため、かかる受光素子に環境光が入射するように画像生成装置を設計変更する必要がある。また、環境光検出専用の受光素子を画素内に設けると、その分、画素内における表示光の出射領域が狭くなるため、明るい表示が行なえなくなるなどの問題点がある。
【０００６】
以上の問題点に鑑みて、本発明の課題は、環境光検出専用の受光素子を設けなくても、環境光の強度を検出することのできる光学式位置検出装置、かかる光学式位置検出装置を備えた位置検出機能付き表示装置、およびかかる位置検出機能付き表示装置を備えた電子機器を提供することにある。
【課題を解決するための手段】
【０００７】
上記課題を解決するために、本発明では、検出領域内において対象物体の位置を光学的に検出するための光学式位置検出装置であって、位置検出光を放出する位置検出用光源と、該位置検出用光源を駆動する位置検出用光源駆動回路と、前記検出領域に受光部を向けた光検出器と、該光検出器での検出信号に基づいて、前記検出領域内における対象物体の位置を検出するための位置検出用信号を生成するとともに、前記検出領域における環境光の強度に対応する環境光強度判定用信号を生成する信号処理部と、を有することを特徴とする。
【０００８】
本発明を適用した光学式位置検出装置において、信号処理部は、光検出器での検出信号に基づいて、検出領域内における対象物体の位置を検出するための位置検出用信号を生成するとともに、環境光の強度に対応する環境光強度判定用信号を生成する。すなわち、光検出器を位置検出用および環境光検出用に用いるため、環境光検出専用の受光素子を必要としない。このため、本発明を適用した光学式位置検出装置を画像生成装置と組み合わせて位置検出機能付き表示装置を構成した場合、画像生成装置に対して環境光検出用の受光素子を設けなくても、環境光の強度に連動して画像の輝度を自動的に調整するなど、環境光の強度に応じた適正な画像表示を行なうことができる。
【０００９】
本発明において、前記位置検出用光源から出射された前記位置検出光を内部に採り込む光入射面、および該光入射面から入射した前記位置検出光を出射する光出射面を備えた導光板を備え、前記光検出器は、前記導光板に対して前記位置検出光の出射側で前記検出領域に前記受光部を向けていることが好ましい。かかる構成によれば、位置検出光が導光板の光出射面から出射され、これが導光板の出射側に配置された対象物体によって反射されると、この反射光が光検出器によって検出される。ここで、位置検出光が導光板中で伝播して出射されるまでの減衰率は位置によって相違する。従って、光検出器での検出結果から、対象物体の位置を検出することができる。それ故、検出領域に沿って多数の光学素子を配置する必要がないので、低コストに位置検出装置を構成することができる。
【００１０】
本発明において、前記光検出器は、赤外域および可視域に跨る波長域の光を光電変換することが好ましい。かかる構成によれば、赤外光を含まないような環境光、例えば、蛍光灯の光などの強度も検出することができる。
【００１１】
本発明において、前記信号処理部は、前記光検出器での検出結果から前記位置検出用信号を抽出する位置検出用信号抽出部を備え、前記信号処理部は、前記位置検出用信号抽出部によって前記位置検出用信号を抽出する前の前記光検出器の検出信号を前記環境光強度判定用信号とすることが好ましい。かかる構成によれば、環境光の強度の影響を受けずに、位置検出用信号を得ることができる。
【００１２】
本発明において、前記位置検出用光源として、前記第１位置検出光を出射する第１位置検出用光源と、前記第２位置検出光を出射する第２位置検出用光源と、を備えていることが好ましい。かかる構成によれば、第１位置検出用光源による検出結果と第２位置検出光による検出結果との光量比や位相差などから、第１位置検出用光源と第２位置検出用光源とが離間する方向での対象物体の接近位置を正確に検出することができる。
【００１３】
かかる構成の場合、前記位置検出用光源駆動回路は、前記第１位置検出用光源と前記第２位置検出用光源とを逆相に駆動し、前記信号処理部は、前記第１位置検出光に対する前記光検出器での受光強度と前記第２位置検出光に対する前記光検出器での受光強度が同一となるように前記第１位置検出用光源および前記第２位置検出用光源のうちの一方の発光強度を調整するための発光輝度補償指令部を備えていることが好ましい。
【００１４】
本発明において、前記第１位置検出用光源および前記第２位置検出用光源からなる光源対を２組備え、当該２組の光源対は、出射光軸が交差する方向に向いていることが好ましい。かかる構成によれば、一方の光源対の第１位置検出用光源による検出結果と第２位置検出光による検出結果との光量比や位相差などから、一方の光源対において第１位置検出用光源と第２位置検出用光源とが離間する方向での対象物体の接近位置を検出することができる。また、他方の光源対の第１位置検出用光源による検出結果と第２位置検出光による検出結果との光量比や位相差などから、他方の光源対において第１位置検出用光源と第２位置検出用光源とが離間する方向での対象物体の接近位置を検出することができる。
【００１５】
本発明を適用した光学式位置検出装置は、画像生成装置と組み合わせることにより、位置検出機能付き表示装置を構成することができる。この場合、画像生成装置は、前記位置検出領域と画像表示領域とが重なるように前記導光板に対して対向配置された電気光学パネルを備えている。
【００１６】
かかる位置検出機能付き表示装置では、前記環境光強度判定用信号に基づいて、環境光の強度に連動して前記画像生成装置での表示条件を変更させる表示条件補正指令部を備えていることが好ましい。例えば、画像生成装置が、前記電気光学パネルとしての液晶パネルと、前記液晶パネルに対して光を供給する照明装置とを備えている場合、前記表示条件補正指令部は、前記環境光強度判定用信号に基づいて、環境光の強度に連動して電気光学パネルに供給される画像信号のレベルや、照明装置からの照明光の出射強度を変更することが好ましい。また、画像生成装置が、前記電気光学パネルとして、有機エレクトロルミネッセンスパネルを有している場合、前記表示条件補正指令部は、前記環境光強度判定用信号に基づいて、環境光の強度に連動して電気光学パネルに供給される画像信号のレベルを変更することが好ましい。
【００１７】
本発明を適用した位置検出機能付き表示装置は、携帯電話、カーナビゲーション、パーソナルコンピューター、券売機、銀行の端末などの電子機器に用いられる。
【図面の簡単な説明】
【００１８】
【図１】本発明を適用した光学式位置検出装置および位置検出機能付き表示装置の構成を模式的に示す分解斜視図である。
【図２】（ａ）、（ｂ）、（ｃ）は各々、本発明を適用した光学式位置検出装置および位置検出機能付き表示装置の断面構成を模式的に示す断面図、導光板内での位置検出光の減衰状態を示す説明図、および環境光が存在する条件下での導光板内の様子を示す説明図である。
【図３】（ａ）、（ｂ）は各々、本発明を適用した光学式位置検出装置および位置検出機能付き表示装置の信号処理部の説明図、および信号処理部の発光強度補償指令部での処理内容を示す説明図である。
【図４】本発明を適用した光学式位置検出装置および位置検出機能付き表示装置において環境光が光検出器に入射した場合の信号変化を示す説明図である。
【図５】本発明に係る位置検出機能付き表示装置を用いた電子機器の説明図である。
【発明を実施するための形態】
【００１９】
次に、添付図面を参照して本発明の実施形態について詳細に説明する。
【００２０】
（全体構成）
図１は、本発明を適用した光学式位置検出装置および位置検出機能付き表示装置の構成を模式的に示す分解斜視図である。図２（ａ）、（ｂ）、（ｃ）は各々、本発明を適用した光学式位置検出装置および位置検出機能付き表示装置の断面構成を模式的に示す断面図、導光板内での位置検出光の減衰状態を示す説明図、および環境光が存在する条件下での導光板内の様子を示す説明図である。
【００２１】
図１および図２（ａ）において、本形態の位置検出機能付き表示装置１００は、光学式位置検出装置１０と画像生成装置２００とを備えており、光学式位置検出装置１０は、例えば、画像生成装置２００によって表示された画像に基づいて、指などの対象物体Ｏｂを検出領域１０Ｒに接近させた際、対象物体Ｏｂの平面的な位置を検出する。
【００２２】
かかる光学式位置検出装置１０は、位置検出光Ｌ２ａ〜Ｌ２ｄを放出する位置検出用光源１２Ａ〜１２Ｄと、位置検出光Ｌ２ａ〜Ｌ２ｄが入射する光入射部１３ａ〜１３ｄを周囲の端面部に備えた導光板１３と、検出領域１０Ｒに受光部１５ａを向けた光検出器１５とを備えており、導光板１３は、内部を伝播した位置検出光Ｌ２ａ〜Ｌ２ｄを出射する光出射面１３ｓを一方の表面（図示上面）に備えている。位置検出用光源１２Ａ〜１２Ｄは光入射部１３ａ〜１３ｄと対向するように配置され、好ましくは光入射部１３ａ〜１３ｄと密接するように配置されている。本形態では、光検出器１５に加えて、補償用光検出器１５ｘも用いられている。かかる補償用光検出器１５ｘは、光検出器１５の検出結果に対する温度などの影響を補償するためのものであり、位置検出光Ｌ２ａ〜Ｌ２ｄを検出するものではない。
【００２３】
導光板１３は、ポリカーボネートやアクリル樹脂などの透明な樹脂板で構成されている。導光板１３において、光出射面１３ｓ、または光出射面１３ｓの反対側の背面１３ｔには、表面凹凸構造、プリズム構造、散乱層（図示せず）などが設けられており、このような光散乱構造によって、光入射部１３ａ〜１３ｄから入射して内部を伝播する光は、その伝播方向に進むに従って徐々に偏向されて光出射面１３ｓより出射される。導光板１３の背後には反射シートなどで構成される反射板１４が配置され、反射板１４は、導光板１３の背面１３ｔから出射される位置検出光Ｌ２ａ〜Ｌ２ｄを導光板１３の内部に戻すように機能する。
【００２４】
本形態において、導光板１３は、４つの辺部分１３ｉ〜１３ｌを備えた略四角形の平面形状を備えており、四角形の４つの角部分１３ｅ〜１３ｈが各々、光入射部１３ａ〜１３ｄになっている。ここで、光入射部１３ａ〜１３ｄは、例えば、導光板１３の角部分１３ｅ〜１３ｈを除去してなる端面により構成されている。
【００２５】
位置検出用光源１２Ａ〜１２Ｄは、例えばＬＥＤ（発光ダイオード）などの発光素子で構成され、駆動回路（図示せず）から出力される駆動信号に応じて、例えば、赤外光からなる位置検出光Ｌ２ａ〜Ｌ２ｄを放出する。位置検出光Ｌ２ａ〜Ｌ２ｄの種類は、特に限定されないが、後述する信号処理などによって外光と区別して検出可能なものが好ましく、可視光とは波長分布が異なるか、点滅などの変調が加えられることで発光態様が異なることが好ましい。また、位置検出光Ｌ２ａ〜Ｌ２ｄは、指やタッチペンなどの対象物体Ｏｂにより効率的に反射される波長域を有することが好ましい。例えば、対象物体Ｏｂが指などの人体であれば、人体の表面で反射率の高い赤外線（特に可視光領域に近い近赤外線、例えば波長で８５０ｎｍ付近）であることが望ましい。
【００２６】
位置検出用光源１２Ａ〜１２Ｄは本質的に複数設けられ、相互に異なる位置から位置検出光を放出するように構成される。本形態において、４つの位置検出用光源１２Ａ〜１２Ｄのうち、任意の２つの位置検出用光源は対になって第１光源対を構成し、他の２つの位置検出用光源は対になって第２光源対を構成している。本形態では、導光板１３の対角位置に配置された位置検出用光源１２Ａ、１２Ｂが第１光源対を構成し、他の２つの位置検出用光源１２Ｃ、１２Ｄが第２光源対を構成している。この場合、第１光源対では、２つの位置検出用光源１２Ａ、１２Ｂの一方が第１位置検出用光源とされ、他方が第２位置検出用光源として用いられる。従って、第１光源対では、位置検出光Ｌ２ａが第１位置検出光に相当し、位置検出光Ｌ２ｂが第２位置検出光に相当する。また、導光板１３の光入射部１３ａ、１３ｂの一方が第１光入射部に相当し、他方が第２光入射部に相当する。このため、第１光源対において、第１の位置検出用光源１２Ａと第２の位置検出用光源１２Ｂは導光板１３を挟んで対向した状態にある。
【００２７】
また、第２光源対では、２つの位置検出用光源１２Ｃ、１２Ｄの一方が第１位置検出用光源とされ、他方が第２位置検出用光源として用いられる。従って、第２光源対では、位置検出光Ｌ２ｃが第１位置検出光に相当し、位置検出光Ｌ２ｄが第２位置検出光に相当する。また、導光板１３の光入射部１３ｃ、１３ｄの一方が第１光入射部に相当し、他方が第２光入射部に相当する。このため、第２光源対において、第１の位置検出用光源１２Ｃと第２の位置検出用光源１２Ｄは導光板１３を挟んで対向した状態にある。
【００２８】
このように構成した位置検出機能付き表示装置１００において、第１光源対における中心光軸と第２光源対における中心光軸とは互いに交差している。このため、第１の位置検出光Ｌ２ａと第２の位置検出光Ｌ２ｂは、導光板１３の内部では、矢印Ａで示す方向において互いに逆向きに伝播し、それらの伝播方向に沿って徐々に光出射面１３ｓから出射される。これに対して、第１の位置検出光Ｌ２ｃと第２の位置検出光Ｌ２ｄは、矢印Ａで示す方向に対して交差する方向（矢印Ｂで示す方向）において互いに逆向きに伝播し、それらの伝播方向に沿って徐々に光出射面１３ｓから出射される。
【００２９】
本形態の位置検出機能付き表示装置１００において、導光板１３の光出射側には、必要に応じて、位置検出光Ｌ２ａ〜Ｌ２ｄの均―化を図るための光学シート１６が配置されている。本形態においては、光学シート１６として、導光板１３の光出射面１３ｓに対向する第１プリズムシート１６１と、第１プリズムシート１６１に対して導光板１３が位置する側とは反対側で対向する第２プリズムシート１６２と、第２プリズムシート１６２に対して導光板１３が位置する側とは反対側で対向する光散乱板１６３とが用いられている。なお、光学シート１６に対して導光板１３が位置する側とは反対側には矩形枠状の遮光シート１７が光学シート１６の周囲に配置されている。かかる遮光シート１７は、位置検出用光源１２Ａ〜１２Ｄから出射された位置検出光Ｌ２ａ〜Ｌ２ｄが漏れるのを防止する。
【００３０】
（画像生成装置２００の構成）
画像生成装置２００は、光学シート１６（第１プリズムシート１６１、第２プリズムシート１６２および光散乱板１６３）に対して導光板１３が位置する側とは反対側に電気光学パネル２０を備えている。本形態において、電気光学パネル２０は、透過型の液晶パネルであり、２枚の透明性基板２１、２２をシール材２３で貼り合わせ、基板間に液晶２４を充填した構造を有している。本形態において、電気光学パネル２０は、アクティブマトリクス型液晶パネルであり、２枚の透明性基板２１、２２の一方側には透光性の画素電極、データ線、走査線、画素スイッチング素子（図示せず）が形成され、他方側には透光性の共通電極（図示せず）が形成されている。なお、画素電極および共通電極が同一の基板に形成されることもある。かかる電気光学パネル２０では、各画素に対して走査線を介して走査信号が出力され、データ線を介して画像信号が出力されると、複数の画素の各々で液晶２４の配向が制御される結果、画像表示領域２０Ｒに画像が形成される。
【００３１】
電気光学パネル２０において、一方の透光性基板２１には、他方の透光性基板２２の外形より周囲に張り出した基板張出部２１ｔが設けられている。この基板張出部２１ｔの表面）上には駆動回路などを構成する電子部品２５が実装されている。また、基板張出部２１ｔには、フレキシブル配線基板（ＦＰＣ）などの配線部材２６が接続されている。なお、基板張出部２１ｔ上には配線部材２６のみが実装されていてもよい。なお、必要に応じて透光性基板２１、２２の外面側には偏光板（図示せず）が配置される。
【００３２】
ここで、対象物体Ｏｂの平面位置を検出するためには、位置検出光Ｌ２ａ〜Ｌ２ｄを対象物体Ｏｂによる操作が行われる視認側へ出射させる必要があり、電気光学パネル２０は、導光板１３および光学シート１６よりも視認側（操作側）に配置されている。従って、電気光学パネル２０において、画像表示領域２０Ｒは、位置検出光Ｌ２ａ〜Ｌ２ｄを透過可能に構成される。なお、電気光学パネル２０が導光板１３の視認側とは反対側に配置される場合には、画像表示領域２０Ｒが位置検出光Ｌ２ａ〜Ｌ２ｄを透過するように構成されている必要はないが、その代りに、画像表示領域２０Ｒが導光板１３を通して視認側より透視可能に構成される必要がある。
【００３３】
画像生成装置２００は、電気光学パネル２０を照明するための照明装置４０を備えている。本形態において、照明装置４０は、導光板１３に対して電気光学パネル２０が位置する側とは反対側において導光板１３と反射板１４との間に配置されている。
【００３４】
照明装置４０は、照明用光源４１と、この照明用光源４１から放出される照明光を伝播させながら出射する照明用導光板４３とを備えており、照明用導光板４３は、矩形の平面形状を備えている。照明用光源４１は、例えばＬＥＤ（発光ダイオード）などの発光素子で構成され、駆動回路（図示せず）から出力される駆動信号に応じて、例えば白色の照明光Ｌ４を放出する。本形態において、照明用光源４１は、照明用導光板４３の辺部分４３ａに沿って複数、配列されている。
【００３５】
図２（ａ）に示すように、照明用導光板４３は、辺部分４３ａに隣接する光出射側の表面部分（光出射面４３ｓの辺部分４３ａ側の外周部）に傾斜面４３ｇが設けられ、照明用導光板４３は、辺部分４３ａに向けて厚みが徐々に増加している。かかる傾斜面４３ｇを有する入光構造によって、光出射面４３ｓが設けられる部分の厚みの増加を抑制しつつ、辺部分４３ａの高さを照明用光源４１の光放出面の高さに対応させてある。
【００３６】
かかる照明装置４０において、照明用光源４１から出射された照明光は、照明用導光板４３の辺部分４３ａから照明用導光板４３の内部に入射した後、照明用導光板４３の内部を反対側の外縁部４３ｂに向けて伝播し、一方の表面である光出射面４３ｓから出射される。ここで、照明用導光板４３は、辺部分４３ａ側から反対側の外縁部４３ｂに向けて内部伝播光に対する光出射面４３ｓからの出射光の光量比率が単調に増加する導光構造を有している。かかる導光構造は、例えば、照明用導光板４３の光出射面４３ｓ、または背面４３ｔに形成された光偏向用あるいは光散乱用の微細な凹凸形状の屈折面の面積、印刷された散乱層の形成密度などを上記内部伝播方向に向けて徐々に高めることで実現される。このような導光構造を設けることで、辺部分４３ａから入射した照明光Ｌ４は光出射面４３ｓからほぼ均一に出射される。
【００３７】
本形態において、照明用導光板４３は、電気光学パネル２０の視認側とは反対側で電気光学パネル２０の画像表示領域２０Ｒと平面的に重なるように配置され、いわゆるバックライトとして機能する。但し、照明用導光板４３を電気光学パネル２０の視認側に配置して、いわゆるフロントライトとして機能するように構成してもよい。また、本形態において、照明用導光板４３は導光板１３と反射板１４との間に配置されているが、照明用導光板４３を光学シート１６と導光板１３との間に配置してもよい。また、照明用導光板４３と導光板１３とは共通の導光板として構成してもよい。また、本形態では、光学シート１６を位置検出光Ｌ２ａ〜Ｌ２ｄと照明光Ｌ４との間で共用としている。但し、照明用導光板４３の光出射側に、上記の光学シート１６とは別の専用の光学シートを配置してもよい。これは、照明用導光板４３においては光出射面４３ｓから出射される照明光Ｌ４の平面輝度を均―化することを目的に、十分な光散乱作用を呈する光散乱板を用いることが多いが、位置検出用の導光板１３においては光出射面１３ｓから出射される位置検出光Ｌ２ａ〜Ｌ２ｄを大きく散乱させてしまうと位置検出の妨げとなる。このため、光散乱板を設けないか、あるいは比較的軽度の光散乱作用を呈する光散乱板を用いる必要があることから、光散乱板については照明用導光板４３の専用品とすることが好ましい。但し、プリズムシート（第１プリズムシート１６１や第２プリズムシート１６２）などの集光作用のある光学シートについては共用としても構わない。
【００３８】
（検出領域の構成）
図２（ａ）に示すように、電気光学パネル２０の視認側（操作側）には光透過性を有する表装板３０が配置され、この表装板３０の外面（電気光学パネル２０とは反対側の面）上に光検出器１５が配置される。この光検出器１５はフォトダイオードなどの受光素子で構成され、上記位置検出光Ｌ２ａ〜Ｌ２ｄの強度を検出可能となるように構成される。例えば、後述するように位置検出光Ｌ２ａ〜Ｌ２ｄが赤外線であれば、光検出器１５は、少なくとも赤外線に感度を有する受光素子で構成される。
【００３９】
表装板３０の光検出器１５側には、位置検出機能付き表示装置１００を保持固定するための枠体や、位置検出機能付き表示装置１００を搭載する電子機器の筐体などで構成される表面板３１（図２（ａ）に二点鎖線で示す。）が配置され、この表面板３１には、表装板３０のうちの光学式位置検出装置１０の検出領域１０Ｒ、および電気光学パネル２０の画像表示領域２０Ｒを露出させる開口部３１ａが形成されている。
【００４０】
検出領域１０Ｒは、位置検出光Ｌ２ａ〜Ｌ２ｄが視認側（操作側）に出射される平面範囲であり、対象物体Ｏｂによる反射光が生じうる平面範囲である。本形態において、検出領域１０Ｒの平面形状は、矩形状であり、四つの辺部分１０Ｒａ〜１０Ｒｄを備えている。辺部分１０Ｒａ、１０Ｒｂは短辺であり、辺部分１０Ｒｃ、１０Ｒｄは長辺である。隣接する各辺の角部分１０Ｒｅ〜１０Ｒｈの内角は９０度となっており、かかる内角は、導光板１３の角部分１３ｅ〜１３ｈの内角と同一の角度とされている。但し、角部分１０Ｒｅ〜１０Ｒｈの内角は、表面板３１の開口部３１ａの角部分により規定されているので、導光板１３の角部分１３ｅ〜１３ｈの内角とは独立して設定することができる。
【００４１】
本形態において、検出領域１０Ｒは、表面板３１の開口部３１ａによって規定されているが、導光板１３の光出射面１３ｓ自身によって規定された構成、電気光学パネル２０の位置検出光の透過領域によって規定された構成、その他の遮光部材によって規定された構成など、結果として位置検出光が視認側（操作側）に出射される範囲であれば、その態様は特に問わない。また、表装板３０や表面板３１は設けられていなくても構わない。例えば、表装板３０が設けられずに電気光学パネル２０が直接、露出した構造としてもよい。
【００４２】
本形態において、電気光学パネル２０の画像表示領域２０Ｒは、電気光学パネル２０において表示画像が表示される平面範囲である。本形態において、画像表示領域２０Ｒは四つの辺を備えた矩形状であり、検出領域１０Ｒと合同形状を有し、その位置は検出領域１０Ｒと平面的に完全にー致している。但し、検出領域１０Ｒと画像表示領域２０Ｒとは少なくとも一部が平面的に重なっていればよい。
【００４３】
光検出器１５は、表面板３１の開口縁部３１ｂに取り付けられ、その受光部１５ａが検出領域１０Ｒに向かう姿勢で固定されている。受光部１５ａは開口縁部３１ｂにおける検出領域１０Ｒ側の開口部３１ａに臨む縁部端面に露出している。本形態において、光検出器１５は、開口縁部３１ｂと平面的に重ねられ、視認側（操作側）から被覆された状態とされている。これにより、外装デザインヘの制約を低減することができる。
【００４４】
（検出原理）
上記光検出器１５での検出に基づいて対象物体Ｏｂの位置情報の取得方法について説明する。この位置情報の取得方法は種々のものが考えられるが、例えば、そのー例として、二つの位置検出光の検出光量の比率に基づいてそれらの減衰係数の比率を求め、この減衰係数の比率から両位置検出光の伝播距離を求めることにより、対応する二つの光源を結ぶ方向の位置座標を求める方法が挙げられる。
【００４５】
以下、位置検出用光源１２Ａ、１２Ｂを各々、第１位置検出用光源および第２位置検出用光源として用い、位置検出光Ｌ２ａ、Ｌ２ｂを各々、第１位置検出光および第２位置検出光として用いた場合を中心に説明する。
【００４６】
本形態の位置検出機能付き表示装置１００においては、位置検出用光源１２Ａ〜１２Ｄから放出された位置検出光Ｌ２ａ〜Ｌ２ｄは各々、光入射部１３ａ〜１３ｄから導光板１３の内部に入射し、導光板１３の内部を伝播しながら徐々に光出射面１３ｓから出射される。その結果、位置検出光Ｌ２ａ〜Ｌ２ｄは、光出射面１３ｓから面状に放出される。
【００４７】
例えば、位置検出光Ｌ２ａは光入射部１３ａから光入射部１３ｂに向けて導光板１３の内部を伝播しながら徐々に光出射面１３ｓから放出されていく。また、位置検出光Ｌ２ｂは光入射部１３ｂから光入射部１３ａに向けて導光板１３の内部を伝播しながら徐々に光出射面１３ｓから放出されていく。
【００４８】
そして、位置検出光Ｌ２ａ〜Ｌ２ｄは、光学シート１６および電気光学パネル２０を透過して表装板３０の視認側（操作側）に検出領域１０Ｒ全体から出射される。従って、表装板３０の視認側（操作側）に指などの対象物体Ｏｂが配置されると、対象物体Ｏｂにより上記位置検出光Ｌ２ａ〜Ｌ２ｄが反射され、その反射光の一部が上記光検出器１５により検出される。
【００４９】
その際、図２（ｂ）に示すように、位置検出用光源１２Ａ、１２Ｂから出射された位置検出光Ｌ２ａ、Ｌ２ｂは各々、導光板１３の光出射面１３ｓから出射されながら進行する。このため、検出領域１０Ｒに出射される位置検出光Ｌ２ａの光量は、図２（ｂ）に実線で示すように、位置検出用光源１２Ａからの距離に減衰し、検出領域１０Ｒに出射される位置検出光Ｌ２ｂの光量は、図２（ｂ）に点線で示すように、位置検出用光源１２Ｂからの距離に正の相関関係をもって減衰する。
【００５０】
ここで、第１の位置検出用光源１２Ａの制御量（例えば電流量）、変換係数、および放出光量をＩａ、ｋ、およびＥａ、第２の位置検出用光源１２Ｂの制御量（電流量）、変換係数、および放出光量をＩｂ、ｋ、およびＥｂとすれば、
Ｅａ＝ｋ・Ｉａ
Ｅｂ＝ｋ・Ｉｂ
となる。また、第１の位置検出光Ｌ２ａの減衰係数、および検出光量をｆａ、およびＧａ、第２の位置検出光Ｌ２ｂの減衰係数、および検出光量をｆｂ、およびＧｂとすれば、
Ｇａ＝ｆａ・Ｅａ＝ｆａ・ｋ・Ｉａ
Ｇｂ＝ｆｂ・Ｅｂ＝ｆｂ・ｋ・Ｉｂ
となる。
【００５１】
従って、光検出器１５において両位置検出光の検出光量の比であるＧａ／Ｇｂが検出できるとすれば、
Ｇａ／Ｇｂ＝（ｆａ・Ｅａ）／（ｆｂ・Ｅｂ）＝（ｆａ／ｆｂ）・（Ｉａ／Ｉｂ）
となるから、放出光量の比Ｅａ／Ｅｂ、および制御量の比Ｉａ／Ｉｂに相当する値が分かれば、減衰係数の比ｆａ／ｆｂが分る。この減衰係数の比と両位置検出光の伝播距離の比との間には正の相関があるので、この相関関係を予め設定しておくことで、対象物体Ｏｂの位置情報（第１位置検出用光源から第２位置検出用光源へ向かう方向の位置座標）を得ることができる。
【００５２】
上記減衰係数の比ｆａ／ｆｂを求める方法としては、例えば、第１の位置検出用光源１２Ａと第２の位置検出用光源１２Ｂを逆相で点滅（例えば、矩形波状若しくは正弦波状の駆動信号を伝播距離の差に起因する位相差が無視できる周波数で相互に１８０度の位相差を持つように動作）させた上で、検出光量の波形を解析する。より現実的には、例えば、一方の制御量Ｉａを固定し（Ｉａ＝Ｉｍ）、検出波形が観測できなくなるように、すなわち、検出光量の比Ｇａ／Ｇｂが１となるように他方の制御量ｌｂを制御し、このときの制御量Ｉｂ＝Ｉｍ・（ｆａ／ｆｂ）から上記減衰係数の比ｆａ／ｆｂを導出する。
【００５３】
また、両制御量の和が常に一定、すなわち、下式
Ｉｍ＝Ｉａ＋Ｉｂ
を満たすように制御してもよい。この場合には、下式
Ｉｂ＝Ｉｍ・ｆｂ／（ｆａ十ｆｂ）
となるので、
ｆｂ／（ｆａ十ｆｂ）＝α
とすると、下式
ｆａ／ｆｂ＝（１−α）／α
により、減衰係数の比が求まる。
【００５４】
本実施形態では、対象物体Ｏｂの矢印Ａ方向の位置情報は、第１の位置検出用光源１２Ａと第２の位置検出用光源１２Ｂを相互に逆相で駆動することで取得する。また、対象物体Ｏｂの矢印Ｂ方向の位置情報は、第１の位置検出用光源１２Ｃと第２の位置検出用光源１２Ｄを相互に逆相で駆動することで取得する。従って、制御系において上記Ａ向とＢ方向の検出動作を順次行って対象物体Ｏｂの平面上の位置座標を取得できる。
【００５５】
また、位置検出用光源１２Ａ、１２Ｃを第１の位置検出用光源として同相で駆動し、位置検出用光源１２Ｂ、１２Ｄを第２の位置検出用光源として同相で駆動して、第１の位置検出用光源と第２の位置検出用光源とを相互に逆相で駆動して検出する場合と、位置検出用光源１２Ａ、１２Ｄを第１の位置検出用光源として同相で駆動し、位置検出用光源１２Ｂ、１２Ｃを第２の位置検出用光源として同相で駆動して、第１の位置検出用光源と第２の位置検出用光源とを相互に逆相で駆動して検出する場合とを切り換えて順次に座標を求めることでも、対象物体Ｏｂの平面上の位置座標を取得できる。このような位置検出用光源を複数同時に点灯する構成によれば、例えば、第１の位置検出用光源から、対向する第２の位置検出用光源に向かう方向、あるいはその逆方向の出射光量分布（位置検出光の明暗傾斜分布）が、１つの位置検出用光源を点灯する構成よりも広い範囲で好適に得られるため、より正確な位置検出が可能である。
【００５６】
上記のように、光検出器１５により検出される第１位置検出光と第２位置検出光の光量比に基づいて対象物体Ｏｂの検出領域１０Ｒ内の平面位置情報を取得するにあたって、例えば、信号処理部としてマイクロプロセッサーユニット（ＭＰＵ）を用い、これにより所定のソフトウェア（動作プログラム）を実行することに従って処理を行う構成を採用することができる。また、図３および図４を参照して後述するように、論理回路などのハードウェアを用いた信号処理部で処理を行う構成を採用することもできる。かかる信号処理部は、位置検出機能付き表示装置１００の一部として組み込まれていても良く、位置検出機能付き表示装置１００が搭載される電子機器の内部において構成されていてもよい。
【００５７】
なお、位置情報の取得方法としては、上記のように導光板１３の内部の伝播距離に対応する第１の位置検出光と第２の位置検出光の光量比に基づく方法の他に、たとえば、上記伝播距離に対応する第１の位置検出光と第２の位置検出光の位相差に基づく方法も考えられる。この場合には、当該位相差の大小と上記伝播距離の差との関係に応じて対象物体Ｏｂの平面位置情報を算出する。
【００５８】
（環境光の影響）
上記検出方法を採用した場合、環境光が光検出器１５に入射すると、位置検出光Ｌ２ａ〜Ｌ２ｄに環境光が加わるため、図２（ｃ）に示すように、位置検出用光源１２Ａ、１２Ｂからの距離と、検出領域１０Ｒに出射される位置検出光Ｌ２ａ，Ｌ２ｂの光量との関係が、図２（ｂ）に示す関係からずれてしまい、検出精度が低下してしまう。ここで、光検出器１５が検出可能な波長域を赤外域に限定すれば、赤外域の光を含まない蛍光灯の光の影響を防止できるが、太陽光の影響を防止することは不可能である。
【００５９】
そこで、本形態では、図３および図４を参照して以下に説明するように、信号処理部を構成することによって、環境光の影響をキャンセルする。また、本形態では、信号処理部によって環境光の影響を完全にキャンセルするので、光検出器１５が検出可能な波長域を、赤外域および可視域に跨るように設定して、以下に説明するように、光検出器１５によって環境光の強度も検出する。
【００６０】
（信号処理部の構成例）
図３（ａ）、（ｂ）は各々、本発明を適用した光学式位置検出装置１０および位置検出機能付き表示装置１００の信号処理部の説明図、および信号処理部の発光強度補償指令部での処理内容を示す説明図である。図４は、本発明を適用した光学式位置検出装置１０および位置検出機能付き表示装置１００において環境光が光検出器１５に入射した場合の信号変化を示す説明図であり、環境光が入射しない場合を［ｗ／ｏＳＵＮ］として示し、環境光が入射した場合を［ｗｉｔｈＳＵＮ］と示してある。なお、環境光が光検出器１５に入射した場合の信号変化が分りやすいように、図４（ａ）には、位置検出用光源１２Ａ〜１２Ｄのうち、位置検出用光源１２Ａのみを駆動した様子を示し、図４（ｂ）には、２つの位置検出用光源１２Ａ、１２Ｂを駆動した様子を示してある。
【００６１】
図３（ａ）および図４（ａ）、（ｂ）に示すように、本形態の光学式位置検出装置１０および位置検出機能付き表示装置１００において、位置検出用光源駆動回路１１０は、位置検出用光源１２Ａに対して可変抵抗１１１を介して駆動パルスを印加し、位置検出用光源１２Ｂに対して反転回路１１３および可変抵抗１１２を介して駆動パルスを印加する。このため、位置検出用光源駆動回路１１０は、位置検出用光源１２Ａと位置検出用光源１２Ｂとに対して逆相の駆動パルスを印加し、位置検出光Ｌ２ａ、Ｌ２ｂを変調させて出射させる。そして、位置検出光Ｌ２ａ、Ｌ２ｂが対象物体Ｏｂで反射した光を共通の光検出器１５で受光する。光強度信号生成回路１４０において、光検出器１５には、１ｋΩ程度の抵抗１５ｒが直列に電気的接続されており、それらの両端にはバイアス電圧Ｖｂが印加されている。
【００６２】
かかる光強度信号生成回路１４０において、光検出器１５と抵抗１５ｒとの接続点Ｐ１には、信号処理部１５０が電気的に接続されている。光検出器１５と抵抗１５ｒとの接続点Ｐ１から出力される検出信号Ｖｃは、下式
Ｖｃ＝Ｖ15／（Ｖ15＋抵抗１５ｒの抵抗値）
Ｖ15：光検出器１５の等価抵抗
で表される。従って、図４（ａ）、（ｂ）に示すように、環境光が光検出器１５に入射しない場合と、環境光が光検出器１５に入射している場合とを比較すると、環境光が光検出器１５に入射している場合には、検出信号Ｖｃのレベルが低くなり、振幅が大きくなる。
【００６３】
信号処理部１５０は概ね、位置検出用信号抽出回路１９０、位置検出用信号分離回路１７０、および発光強度補償指令回路１８０を備えている。
【００６４】
位置検出用信号抽出回路１９０は、１ｎＦ程度のキャパシタからなるフィルター１９２を備えており、かかるフィルター１９２は、光検出器１５と抵抗１５ｒとの接続点Ｐ１から出力された信号から直流成分を除去するハイパスフィルターとして機能する。このため、フィルター１９２によって、光検出器１５と抵抗１５ｒとの接続点Ｐ１から出力された検出信号Ｖｃからは、光検出器１５による位置検出光Ｌ２ａ、Ｌ２ｂの位置検出用信号Ｖｄが抽出される。すなわち、位置検出光Ｌ２ａ、Ｌ２ｂは変調されているのに対して、環境光はある期間内において強度が一定であると見なすことができるので、環境光に起因する低周波成分あるいは直流成分はフィルター１９２によって除去される。
【００６５】
また、位置検出用信号抽出回路１９０は、フィルター１９２の後段に、２２０ｋΩ程度の帰還抵抗１９４を備えた加算回路１９３を有しており、フィルター１９２によって抽出された位置検出用信号Ｖｄは、バイアス電圧Ｖｂの１／２倍の電圧Ｖ／２に重畳された位置検出用信号Ｖｓとして位置検出用信号分離回路１７０に出力される。
【００６６】
位置検出用信号分離回路１７０は、位置検出用光源１２Ａに印加される駆動パルスに同期してスイッチング動作を行なうスイッチ１７１と、比較器１７２と、比較器１７２の入力線に各々、電気的接続されたキャパシタ１７３とを備えている。このため、位置検出用信号Ｖｓが位置検出用信号分離回路１７０に入力されると、位置検出用信号分離回路１７０から光強度補償指令回路１８０には、位置検出光Ｌ２ａが点灯している期間ｔ１での位置検出用信号Ｖｓの実効値Ｖｅａと、位置検出光Ｌ２ｂが点灯している期間ｔ２での位置検出用信号Ｖｓの実効値Ｖｅｂとが交互に出力される。
【００６７】
発光強度補償指令回路１８０は、実効値Ｖｅａ、Ｖｅｂを比較して、図３（ｂ）に示す処理を行ない、位置検出光Ｌ２ａが点灯している期間ｔ１での位置検出用信号Ｖｓの実効値Ｖｅａと、位置検出光Ｌ２ｂが点灯している期間ｔ２での位置検出用信号Ｖｓの実効値Ｖｅｂとが、図４（ｂ）に示すように、同一レベルとするように位置検出用光源駆動回路１１０に制御信号Ｖｆを出力する。すなわち、発光強度補償指令回路１８０は、位置検出光Ｌ２ａが点灯している期間ｔ１での位置検出用信号Ｖｓの実効値Ｖｅａと、位置検出光Ｌ２ｂが点灯している期間ｔ２での位置検出用信号Ｖｓの実効値Ｖｅｂとを比較して、それらが等しい場合、位置検出用光源１２Ａ、１２Ｂに対する現状の駆動条件を維持させる。これに対して、位置検出光Ｌ２ａが点灯している期間ｔ１での位置検出用信号Ｖｓの実効値Ｖｅａが、位置検出光Ｌ２ｂが点灯している期間ｔ２での位置検出用信号Ｖｓの実効値Ｖｅｂより低い場合、発光強度補償指令回路１８０は、可変抵抗１１１の抵抗値を下げさせて位置検出用光源１２Ａの出射光量を高める。また、位置検出光Ｌ２ｂが点灯している期間ｔ２での位置検出用信号Ｖｓの実効値Ｖｅｂが、位置検出光Ｌ２ａが点灯している期間ｔ１での位置検出用信号Ｖｓの実効値Ｖｅａより低い場合、発光強度補償指令回路１８０は、可変抵抗１１２の抵抗値を下げさせて位置検出用光源１２Ｂの出射光量を高める。
【００６８】
このようにして、光学式位置検出装置１０および位置検出機能付き表示装置１００では信号処理部１５０の発光強度補償指令回路１８０によって、光検出器１５による位置検出光Ｌ２ａ、Ｌ２ｂに対する検出量が同一となるように、位置検出用光源１２Ａ、１２Ｂの制御量（電流量）を制御する。従って、発光強度補償指令回路１８０には、位置検出光Ｌ２ａが点灯している期間ｔ１での位置検出用信号Ｖｓの実効値Ｖｅａと、位置検出光Ｌ２ｂが点灯している期間ｔ２での位置検出用信号Ｖｓの実効値Ｖｅｂとが同一レベルとなるような位置検出用光源１２Ａ、１２Ｂでの制御量に関する情報が存在するので、かかる情報を位置検出用信号Ｖｇとして位置判定部１２０に出力すれば、位置判定部１２０は、検出領域１０Ｒにおける対象物体Ｏｂの位置情報を得ることができる。
【００６９】
また、本形態では、位置検出用信号抽出回路１９０において、フィルター１９２は、光検出器１５と抵抗１５ｒとの接続点Ｐ１から出力された検出信号Ｖｃから、環境光に起因する直流成分を除去して位置検出用信号Ｖｄを抽出する。このため、光検出器１５と抵抗１５ｒとの接続点Ｐ１から出力された検出信号Ｖｃに環境光に起因する成分が含まれている場合でも、かかる環境光の影響をキャンセルすることができる。
【００７０】
さらに、本形態では、光検出器１５と抵抗１５ｒとの接続点Ｐ１から出力された検出信号Ｖｃは、フィルター１９２によって直流成分が除去される前は、環境光に起因する成分を含んでいる。そこで、本形態では、表示条件補正指令部１３０を設け、光検出器１５と抵抗１５ｒとの接続点Ｐ１から出力された検出信号Ｖｃを環境光強度判定用信号として表示条件補正指令部１３０に出力する。その結果、表示条件補正指令部１３０は、電気光学パネル２０のデータ線に供給される画像信号を変更して、あるいは、照明装置４０の照明用光源４１に供給する駆動信号を変更し、画像生成装置２００での表示条件を変更することができる。それ故、明るい環境下では電気光学パネル２０で表示される画像の輝度を高くし、暗い環境下では、電気光学パネル２０で表示される画像の輝度を暗くすることがきるなど、環境光の強度に応じた表示を行なうことができる。
【００７１】
（本形態の主な効果）
以上説明したように、本形態の光学式位置検出装置１０および位置検出機能付き表示装置１００では、信号処理部１５０で環境光の影響をキャンセルする原理を利用して、光検出器１５が検出可能な波長域を赤外域および可視域に跨るように設定し、光検出器１５によって、太陽光および蛍光灯の光などの環境光の強度も検出する。このため、本形態の光学式位置検出装置１０および位置検出機能付き表示装置１００では、環境光検出用の受光素子を必要としない。従って、本形態の光学式位置検出装置１０を画像生成装置２００と組み合わせて位置検出機能付き表示装置１００を構成した場合、画像生成装置２００に対して環境光検出用の受光素子を設けなくても、環境光の強度に連動して画像生成装置２００で形成される画像の輝度を調整することができる。
【００７２】
また、本形態の光学式位置検出装置１０では、位置検出光Ｌ２ａ〜Ｌ２ｄを導光板１３の光入射部１３ａ〜１３ｄから入射させて導光板１３の光出射面１３ｓから出射させる。従って、多数の光源や光検出器を必要としないので、大幅な構造の簡易化、製造コストの低減、および消費電力の低減を図ることができる。特に本形態では、第１位置検出用光源と第２位置検出用光源とが導光板１３を挟んで互いに対向する位置に配置されているため、それぞれの光源より放出される第１の位置検出光と第２の位置検出光とが導光板１３の内部を互いに逆向きに伝播する。従って、対象物体Ｏｂにより反射される両光の内部伝播距離の大小関係が相補的な関係、すなわち、一方の伝播距離が増大すると他方の伝播距離が減少する関係となるので、両光源を結ぶ方向の対象物体Ｏｂの位置情報を容易にしかも高精度に検出することができる。
【００７３】
［他の実施形態］
本発明の光学式位置検出装置および位置検出機能付き表示装置１００は、上述の実施形態にのみ限定されるものではなく、本発明の要旨を逸脱しない範囲内において種々変更を加え得ることは勿論である。たとえば、上記各実施形態では、一つの光検出器１５のみを設けているが、別の光検出器が適宜の位置に配置されていても構わない。
【００７４】
また、上記実施形態では、電気光学パネル２０として液晶表示パネルを用いたが、有機エレクトロルミネッセンスパネルなどといった他の種類の電気光学パネルを用いてもよい。かかる有機エレクトロルミネッセンスパネルでも、環境光の強度に連動して画像生成装置２００で形成される画像の輝度を調整すれば、無駄な電力消費を削減することができるとともに、有機エレクトロルミネッセンス素子の寿命を延ばすことができる。
【００７５】
［電子機器への搭載例］
次に、上述した実施形態に係る位置検出機能付き表示装置１００を適用した電子機器について説明する。図５（ａ）に、位置検出機能付き表示装置１００を備えたモバイル型のパーソナルコンピューターの構成を示す。パーソナルコンピューター２０００は、表示ユニットとしての位置検出機能付き表示装置１００と本体部２０１０を備える。本体部２０１０には、電源スイッチ２００１、およびキーボード２００２が設けられている。図５（ｂ）に、位置検出機能付き表示装置１００を備えた携帯電話機の構成を示す。携帯電話機３０００は、複数の操作ボタン３００１、およびスクロールボタン３００２、並びに表示ユニットとしての位置検出機能付き表示装置１００を備える。スクロールボタン３００２を操作することによって、位置検出機能付き表示装置１００に表示される画面がスクロールされる。図５（ｃ）に、位置検出機能付き表示装置１００を適用した情報携帯端末（ＰＤＡ：Personal Digital Assistants）の構成を示す。情報携帯端末４０００は、複数の操作ボタン４００１、および電源スイッチ４００２、並びに表示ユニットとしての位置検出機能付き表示装置１００を備える。電源スイッチ４００２を操作すると、住所録やスケジュール帳といった各種の情報が位置検出機能付き表示装置１００に表示される。
【００７６】
なお、位置検出機能付き表示装置１００が適用される電子機器としては、図５に示すものの他、デジタルスチールカメラ、液晶テレビ、ビューファインダー型、モニター直視型のビデオテープレコーダー、カーナビゲーション装置、ページャー、電子手帳、電卓、ワードプロセッサー、ワークステーション、テレビ電話、ＰＯＳ端末、銀行端末などの電子機器などが挙げられる。そして、これらの各種電子機器の表示部として、前述した位置検出機能付き表示装置１００が適用可能である。
【符号の説明】
【００７７】
１０・・光学式位置検出装置、１０Ｒ・・検出領域、１１・・照明用光源、１２Ａ、１２Ｂ、１２Ｃ、１２Ｄ・・位置検出用光源、１３・・導光板、１３ａ、１３ｂ、１３ｃ、１３ｄ・・光入射部、１３ｓ・・光出射面、１５・・光検出器、１５ａ・・受光部、２０・・電気光学パネル、４１・・照明用光源、４３・・照明用導光板、１１０・・位置検出用光源駆動回路、１２０・・位置判定部、１３０・・表示条件補正指令部、１４０・・光強度信号生成回路、１５０・・信号処理部、１７０・・位置検出用信号分離回路、１８０・・発光強度補償指令回路、１９０・・位置検出用信号抽出回路、２００・・画像生成装置、Ｌ２ａ、Ｌ２ｂ、Ｌ２ｃ、Ｌ２ｄ・・位置検出光、Ｌ４・・照明光
【図１】
2010204994.tif 000003
【図２】
2010204994.tif 000004
【図３】
2010204994.tif 000005
【図４】
2010204994.tif 000006
【図５】
2010204994.tif 000007